(57)【要約】【課題】複屈折率による画質劣化を抑制するとともに製造コストの低廉化を図ることができる投写レンズ及びこれを備えたプロジェクタを提供する。【解決手段】光軸方向に並列して配置された複数のレンズを含み、投写面に向けてあおり方向に画像光を投写するプロジェクタに用いるための投写レンズ９００において、前記複数のレンズのうち投写面側のレンズ９００Ａは射出成形によって形成され、ゲート部９００ａを有するプラスチックレンズであって、このプラスチックレンズのゲート部９００ａは画像光の光学的使用領域Ａ１外に配置されている。【選択図】  図４
2004361620.tif 000002
【特許請求の範囲】
【請求項１】
光軸方向に並列して配置された複数のレンズを含み、投写面に向けてあおり方向に画像光を投写するプロジェクタに用いるための投写レンズにおいて、
前記複数のレンズのうち少なくとも１枚のレンズは射出成形によって形成され、ゲート部を有するプラスチックレンズであって、
このプラスチックレンズのゲート部は画像光の光学的使用領域外に配置されていることを特徴とする投写レンズ。
【請求項２】
請求項１に記載の投写レンズにおいて、前記プラスチックのゲート部は前記投写レンズのレンズ光軸における前記光学的使用領域の反対側に配置されていることを特徴とする投写レンズ。
【請求項３】
請求項１又は２に記載の投写レンズにおいて、前記プラスチックレンズはフォーカス調整によって回転するレンズであって、このレンズの回転によっても前記ゲート部が前記光学的使用領域の外側に配置されるように構成されていることを特徴とする投写レンズ。
【請求項４】
請求項１〜３のいずれかに記載の投写レンズにおいて、前記複数のレンズのうち投写面側に配置されるレンズがプラスチックレンズであって、このプラスチックレンズのゲート部は前記光学的使用領域の下側に配置されていることを特徴とする投写レンズ。
【請求項５】
請求項１〜４のいずれかに記載の投写レンズにおいて、前記複数のレンズのうち光源側に配置されるレンズがプラスチックレンズであって、このプラスチックレンズのゲート部は前記光学的使用領域の上側に配置されていることを特徴とする投写レンズ。
【請求項６】
照明光を射出する照明装置と、
この照明装置から射出された照明光を複数の色光に分離する色分離光学系と、
この色分離光学系によって分離された各色光をそれぞれ変調して画像を形成する複数の電気光学変調装置と、
これら複数の電気光学変調装置から射出された変調光を合成する色合成光学系と、
この色合成光学系によって合成された画像を投写面上に投写表示する投写光学系と、を備えたプロジェクタにおいて、
前記投写光学系は、請求項１〜５のいずれかに記載の投写レンズを有する投写光学系であることを特徴とするプロジェクタ。
【発明の詳細な説明】
【０００１】
【発明の属する技術分野】
本発明は、プラスチックレンズを含む投写レンズ及びこれを備えたプロジェクタに関する。
【０００２】
【従来の技術】
プロジェクタには、電気光学変調装置からの画像光を投写面に向けてあおり方向に表示するためのあおり機構を備えたものがある（図１参照。）。このようなプロジェクタの場合、投写レンズにおける、画像光が通過する領域（光学的使用領域）は、レンズ光軸から偏倚する部位にある。
【０００３】
一方、プラスチックレンズはガラスレンズと比較して安価で非球面加工も容易であることから、このようなプラスチックレンズをプロジェクタの投写レンズとして用いることが検討されている（例えば、特許文献１参照。）。
しかしながら、プラスチックレンズは一般に射出成形によって製造されるため、成形体のゲート部近傍において複屈折が発生する。このため、このようなプラスチックレンズを投写レンズに用いると、ゲート部近傍における複屈折によって画質が劣化してしまう。
そこで、特許文献１においては、このような複屈折による画質劣化を抑制するために、プラスチックレンズの材料として特殊な共重合樹脂からなるものを用いている。
【０００４】
【特許文献１】
特開平１１−２４２１０４号公報
【０００５】
【発明が解決しようとする課題】
しかしながら、このような特殊な共重合樹脂を用いることによってゲート部近傍における複屈折をある程度は減ずることはできるが、このゲート部近傍における複屈折を画質に影響のない程度まで減ずるのは容易ではないという問題がある。
そこで、このようなプラスチックレンズを用いて投写レンズを製造する方法として、一旦射出成形により大きなプラスチック成形体を形成し、その後このプラスチック成形体の周囲を（ゲート部を含むように）大きく切除して、中心部の比較的小さな部分のみを残し、この小さな部分を投写レンズ用のプラスチックレンズとすることが考えられる。
しかしながら、この方法の場合には、大きな射出成形用金型を必要としたり、多大な材料を必要としたりするため、製造コストが嵩むという問題がある。
【０００６】
そこで、本発明は、このような問題を解決するためになされたもので、複屈折率による画質劣化を抑制するとともに製造コストの低廉化を図ることができる投写レンズ及びこれを備えたプロジェクタを提供することを目的とする。
【０００７】
【課題を解決するための手段】
（１）本発明に係る投写レンズは、光軸方向に並列して配置された複数のレンズを含み、投写面に向けてあおり方向に画像光を投写するプロジェクタに用いるための投写レンズにおいて、上記複数のレンズのうち少なくとも１枚のレンズは射出成形によって形成され、ゲート部を有するプラスチックレンズであって、このプラスチックレンズのゲート部は画像光の光学的使用領域外に配置されていることを特徴とする。
【０００８】
このため、本発明の投写レンズによれば、プラスチックレンズのゲート部は画像光が通過する領域（光学的使用領域）外に配置されているため、複屈折による画質劣化を効果的に抑制することができる。
また、本発明の投写レンズによれば、ゲート部を含む成形体をそのまま投写レンズ用のプラスチックレンズとして用いることができるため、製造コストの低廉化を図ることもできる。
このため、本発明の投写レンズによれば、複屈折率による画質劣化を抑制するとともに製造コストの低廉化を図ることができる。
【０００９】
（２）上記（１）に記載の投写レンズにおいては、前記プラスチックのゲート部は前記投写レンズのレンズ光軸における前記光学的使用領域の反対側に配置されていることが好ましい。
このように構成することにより、ゲート部は前記光学的使用領域から最も遠い位置に配置される（すなわち、画質劣化を抑制するに十分な距離をもって光学的使用領域から離間して配置される）ため複屈折による画質劣化をさらに効果的に抑制することができる。
【００１０】
（３）上記（１）又は（２）に記載の投写レンズにおいては、前記プラスチックレンズはフォーカス調整によって回転するレンズであって、このレンズの回転によっても前記ゲート部が前記光学的使用領域の外側に配置されるように構成されていることが好ましい。
このように構成することにより、フォーカス調整によってプラスチックレンズが回転しても、ゲート部が光学的使用領域の外側に配置されるため、複屈折による画質劣化を抑制することができる。
【００１１】
（４）上記（１）〜（３）のいずれかに記載の投写レンズにおいては、前記複数のレンズのうち投写面側に配置されるレンズがプラスチックレンズであって、このプラスチックレンズのゲート部は前記光学的使用領域の下側に配置されていることが好ましい。
投写面側に配置されるレンズにおいては、画像光が通過する領域（光学的使用領域）はレンズ上部にあるが、このように構成することにより、このレンズにおけるゲート部は上記光学的使用領域から最も遠い下側に配置されるため、複屈折による画質劣化を効果的に抑制することができる。
【００１２】
（５）上記（１）〜（４）のいずれかに記載の投写レンズにおいては、前記複数のレンズのうち光源側に配置されるレンズがプラスチックレンズであって、このプラスチックレンズのゲート部は前記光学的使用領域の上側に配置されていることが好ましい。
光源側に配置されるレンズにおいては、画像光が通過する領域（光学的使用領域）はレンズ下部にあるが、このように構成することにより、このレンズにおけるゲート部は上記光学的使用領域から最も遠い上側に配置されるため、複屈折による画質劣化を効果的に抑制することができる。
【００１３】
（６）本発明のプロジェクタは、照明光を射出する照明装置と、この照明装置から射出された照明光を複数の色光に分離する色分離光学系と、この色分離光学系によって分離された各色光をそれぞれ変調して画像を形成する複数の電気光学変調装置と、これら複数の電気光学変調装置から射出された変調光を合成する色合成光学系と、この色合成光学系によって合成された画像を投写面上に投写表示する投写光学系とを備えたプロジェクタにおいて、前記投写光学系は、前記（１）〜（５）のいずれかに記載の投写レンズを有する投写光学系であることを特徴とする。
【００１４】
このため、本発明のプロジェクタによれば、上記したように複屈折率による画質劣化を抑制するとともに製造コストの低廉化を図ることができる投写レンズを有する投写光学系を備えているため、複屈折率による画質劣化を抑制するとともに製造コストの低廉化を図ることができるプロジェクタとなる。
【００１５】
【発明の実施の形態】
以下、本発明が適用された投写レンズ及びプロジェクタについて、図に示す実施の形態に基づいて説明する。
先ず、本発明の実施形態１について、図１〜図５を用いて説明する。
［実施形態１］
図１は、実施形態１に係るプロジェクタの説明図である。図２は、実施形態１に係るプロジェクタの光学系を示す平面図である。図３は、実施形態１に係る投写レンズを含む投写光学系を示す説明図である。図３（ａ）はその背面図であり、図３（ｂ）はそのＡ−Ａ断面図である。図４は、実施形態１に係る投写レンズの投写面側レンズを示す正面図である。図５は、実施形態１に係る投写レンズを画像光が透過する場合について示す光路図である。
【００１６】
実施形態１に係るプロジェクタは、図１に示されるように、電気光学変調装置としての液晶表示装置からの画像光を投写面に向けてあおり方向に表示するためのあおり機構を備えたプロジェクタである。
【００１７】
実施形態１に係るプロジェクタ１は、図２に示されるように、照明光学系１００と、色分離光学系２００と、リレー光学系３００と、３つの液晶表示装置４００Ｒ，４００Ｇ，４００Ｂと、クロスダイクロイックプリズム５００と、投写光学系６００とを備えている。そして、図１に示されるように、投写面としてのスクリーンＳＣに向けてあおり方向に画像光を投写する。各光学系の構成要素は、クロスダイクロイックプリズム５００を中心に略水平方向に配置されている。
【００１８】
照明光学系１００は、光源１１０と、第１のレンズアレイ１２０と、第２のレンズアレイ１３０と、偏光変換素子１４０と、重畳レンズ１５０とを有している。光源１１０から射出された光束は第１のレンズアレイ１２０によって複数の微小な部分光束に分割され、各部分光束は第２のレンズアレイ１３０及び重畳レンズ１５０によって照明対象である３つの液晶表示装置４００Ｒ，４００Ｇ，４００Ｂの光入射面上で重畳される。
【００１９】
第１のレンズアレイ１２０及び第２のレンズアレイ１３０は、小レンズをマトリックス状に配列して形成されている。
偏光変換素子１４０は、非偏光な光を３つの液晶表示装置４００Ｒ，４００Ｇ，４００Ｂで利用可能な偏光方向を有する偏光光に揃える機能を有している。
【００２０】
色分離光学系２００は、照明光学系１００から射出される照明光を、それぞれ異なる波長域の３色の照明光に分離する機能を有している。第１のダイクロイックミラー２１０は、略赤色の光（以下「Ｒ光」という。）を透過させるとともに略緑色の光（以下「Ｇ光」という。）及び略青色の光（以下「Ｂ光」という。）を反射する。第１のダイクロイックミラー２１０を透過したＲ光は、反射ミラー２３０で反射され、フィールドレンズ２４０Ｒを透過してＲ用の液晶表示装置４００Ｒを照明する。
【００２１】
フィールドレンズ２４０Ｒは、照明光学系１００からの複数の部分光束がそれぞれ液晶表示装置４００Ｒを照明するように集光する。通常、各部分光束が、それぞれ略平行な光束となるように設定されている。他の液晶表示装置４００Ｇ，４００Ｂの前に配設されたフィールドレンズ２４０Ｇ，３５０も、フィールドレンズ２４０Ｒと同様に構成されている。
【００２２】
第１のダイクロイックミラー２１０で反射されたＧ光とＢ光のうちＧ光は、第２のダイクロイックミラー２２０によってさらに反射され、フィールドレンズ２４０Ｇを透過してＧ用の液晶表示装置４００Ｇを照明する。一方、Ｂ光は、第２のダイクロイックミラー２２０を透過し、リレー光学系３００を通過してＢ用の液晶表示装置４００Ｂを照明する。
【００２３】
リレー光学系３００は、入射側レンズ３１０，入射側反射ミラー３２０，リレーレンズ３３０，射出側反射ミラー３４０及びフィールドレンズ３５０を有している。色分離光学系２００から射出されたＢ光は、入射側レンズ３１０によってリレーレンズ３３０の近傍で収束し、フィールドレンズ３５０（射出側反射ミラー３４０）に向かって発散する。フィールドレンズ３５０に入射する光束の大きさは、入射側レンズ３１０に入射する光束の大きさに略等しくなるように設定されている。
【００２４】
液晶表示装置４００Ｒ，４００Ｇ，４００Ｂは、入射した色光（Ｒ光，Ｇ光，Ｂ光）を、それぞれに対応する色信号（画像信号）に応じた光に変換し、これら変換された光を透過光として射出する。これら液晶表示装置４００Ｒ，４００Ｇ，４００Ｂの入射側には入射側偏光板９１８Ｒ、９１８Ｇ、９１８Ｂが、また射出側には射出側偏光板９２０Ｒ，９２０Ｇ，９２０Ｂがそれぞれ配置されている。液晶表示装置４００Ｒ，４００Ｇ，４００Ｂとしては、例えば透過型の液晶表示装置が用いられる。
【００２５】
クロスダイクロイックプリズム５００は、各色用の液晶表示装置４００Ｒ，４００Ｇ，４００Ｂから射出される各色の変換光を合成する色合成光学系としての機能を有する。クロスダイクロイックプリズム５００において生成された合成光は、投写レンズ６００に向かって射出される。
【００２６】
投写光学系６００は、図３に示されるように、鏡筒７００，レンズ枠８００及び投写レンズ９００からなり、クロスダイクロイックプリズム５００からの合成光を表示画像としてスクリーン（投写画）ＳＣ上に投写するように構成されている。
【００２７】
鏡筒７００は、内外２つの鍔部７００Ａ，７００Ｂを有し、プロジェクタ用筐体（図示せず）の前面部に取り付けられている。
レンズ枠８００は、前方枠８００Ａ，後方枠８００Ｂ及び中間枠８００Ｃからなり、鏡筒７００の仮想軸線上に配置されている。前方枠８００Ａは、鏡筒７００の前方端部（投写面側端部）に、フォーカス調整によって移動・回転可能に取り付けられている。後方枠８００Ｂは、鍔部８００ｂを有し、この鍔部８００ｂの端面に鍔部７００Ｂの端面に当接させて鏡筒７００の後方端部（光源側端部）に取り付けられている。中間枠８００Ｃは、鍔部８００ｃを有し、前方枠８００Ａと後方枠８００Ｂとの間に位置し、鏡筒７００内に取り付けられている。
【００２８】
投写レンズ９００は、光軸方向に並列して配置された５枚のレンズ９００Ａ〜９００Ｅを含み、レンズ枠８００に取り付けられている。
レンズ９００Ａは、射出成形によって形成された両面を非球面とするプラスチック製の凹レンズからなり、前方枠８００Ａの内周面に取り付けられている。レンズ９００Ｂは、ガラス製の凸レンズからなり、鏡筒７００における鍔部７００Ａの投写面側端面に取り付けられている。
【００２９】
レンズ９００Ｃは、レンズ９００Ｄとともレンズユニットを構成するガラス製の凹レンズからなり、鏡筒７００の内周面に中間枠８００Ｂを介してレンズ９００Ｄとともに取り付けられている。レンズ９００Ｄは、光源側面を非球面とするプラスチック製の凸レンズからなり、レンズ９００Ｃの光源側面に組み付けられている。レンズ９００Ｅは、ガラス製の凸レンズからなり、後方枠８００Ｂの内周面に取り付けられている。
【００３０】
上記したように、実施形態１に係る投写レンズ９００においては、レンズ９００Ａとレンズ９００Ｄとがプラスチックレンズからなる。このため、レンズ９００Ａとレンズ９００Ｄについて、詳細に説明する。
【００３１】
（レンズ９００Ａ）
上記したように、レンズ９００Ａは、射出成形によって形成された両面を非球面とするプラスチック製の凹レンズからなる。そして、フォーカス調整による前方枠８００Ａの移動回転によって移動回転するように構成されている。
レンズ９００Ａには、図４に示されるように、液晶表示装置４００Ｒ，４００Ｇ，４００Ｂ（図２参照。）の各表示領域（縦横比が３：４の矩形状）と略相似関係にある平面形状を有する、画像光の光学的使用領域９００Ａ１が形成されている。
【００３２】
この光学的使用領域９００Ａ１は、レンズ回転基準位置において、下方の横辺がレンズ９００Ａにおける縦横のレンズ仮想中心線ａ，ｂのうち横のレンズ仮想中心線ｂに合致し、縦のレンズ仮想中心線ａに関して対称な平面形状となる部位に配置されている。
レンズ９００Ａのレンズ周縁一部にはいわゆるＤカット面加工処理が施されており、この加工処理部には縦のレンズ仮想中心線上ａに位置するゲート部９００ａが形成されている。ゲート部９００ａは、光学的使用領域９００Ａ１の下側（レンズ光軸ＯＣにおける光学的使用領域９００Ａ１の反対側）に配置されている。
このため、ゲート部９００ａは光学的使用領域９００Ａ１の外側に配置されているため、複屈折による画質劣化が効果的に抑制される。
【００３３】
投写レンズ９００においては、レンズ９００Ａが液晶表示装置から離間するようなフォーカス調整によって回転基準位置から時計方向に回転すると、光学的使用領域９００Ａ１もそれに従って（ゲート部９００ａに対して）相対的に回転する。また、レンズ９００Ａが液晶表示装置に接近するようなフォーカス調整によって回転基準位置から反時計方向に回転すると、光学的使用領域９００Ａ１もそれに従って（ゲート部９００ａに対して）相対的に回転する。
【００３４】
ここで、レンズ９００Ａの回転範囲を回転基準位置から時計方向及び反時計方向にともに３０°とすると、フォーカス調整による光学的使用領域９００Ａ１下端の、レンズ仮想中心線ａに沿った最大移動量Ｍは、「Ｎ×ｓｉｎ３０°」となる。
そこで、本実施形態においては、レンズ仮想中心線ｂを反時計方向に回転させて得られるレンズ仮想中心線ｂ１と光学的使用領域９００Ａ１における左方の縦辺の延長線との交点をｍとするとき、この交点ｍを通りレンズ仮想線ｂに平行な線ｃを保証ラインｃとして用いている。
この保証ラインｃとレンズ仮想中心線ｂとの距離Ｌは、「Ｎ×ｔａｎ３０°」となり、常に「Ｌ＞Ｍ」を満足する。このため、ゲート部９００ａをこの保証ラインｃの下側に配置することにより、フォーカス調整によってレンズ９００Ａが回転しても、ゲート部９００ａは常に光学的使用領域Ａ１の外側に配置されることになり、複屈折による画質劣化が効果的に抑制される。
【００３５】
なお、光学的使用領域９００Ａ１の大きさは液晶表示装置の表示領域の大きさと略等しいので、液晶表示装置として表示領域が対角０．５インチ（１２．７ｍｍ）のものを用いるとすれば、ＮがＮ＝１２．７ｍｍ×（４／５）／２≒５．０８ｍｍとなるため、最大移動量Ｍは２．５４ｍｍとなり、上記した距離Ｌは２．９３ｍｍとなる。
【００３６】
ゲート部９００ａ近傍の複屈折の影響をより確実に抑制するために、この保証ラインをさらに下げることもできる。この場合、例えば、安全率５０％とすれば、レンズ仮想中心線ｂとの間の距離Ｌは、Ｌ＝２．９３×１．５≒４．４０ｍｍとなる。
【００３７】
（レンズ９００Ｄ）
レンズ９００Ｄは、上記したように、光源側面を非球面とするプラスチック製の凸レンズからなる。
レンズ９００Ｄには、レンズ９００Ａと同様に、液晶表示装置４００Ｒ，４００Ｇ，４００Ｂの各表示領域と略相似関係にある平面形状を有する光学的使用領域９００Ｄ１が形成されている。
この光学的使用領域９００Ｄ１は、上方の横辺がレンズ９００Ｄにおける縦横のレンズ仮想中心線のうち横のレンズ仮想中心線に合致し、縦のレンズ仮想中心線に関して対称な平面形状となる部位に配置されている。
【００３８】
レンズ９００Ｄのレンズ周縁一部にはレンズ９００Ａと同様にいわゆるＤカット面加工処理が施されており、この加工処理部には縦のレンズ仮想中心線上に位置するゲート部（図示せず）が形成されている。レンズ９００Ｄのゲート部は、光学的使用領域９００Ｄ１の上側（レンズ光軸ＯＣにおける光学的使用領域９００Ｄ１の反対側）に配置されている。
このため、ゲート部は光学的使用領域９００Ｄ１の外側に配置されているため、複屈折による画質劣化が効果的に抑制される。
【００３９】
以上の構成により、実施形態１に係るプロジェクタは、照明光学系１００からの射出光を色分離光学系２００によってＲ，Ｇ，Ｂの各色光として取り出し、これら各色光を液晶表示装置４００Ｒ，４００Ｇ，４００Ｂに導いてカラー画像信号に応じて変調した後、各色光をクロスダイクロイックプリズム５００によって合成し、投写光学系６００によって表示画像としてスクリーン上に拡大表示する。
【００４０】
このとき、液晶表示装置４００Ｒ，４００Ｇ，４００Ｂからの画像光は、図５に示されるように、投写レンズ９００（レンズ９００Ａ〜９００Ｅ）を透過し、この投写レンズ９００からあおり方向にスクリーンＳＣに向けて投写される。この際、投写レンズ９００（レンズ９００Ａ，９００Ｄ）におけるゲート部は、画像光が透過する領域（光学的使用領域）外に配置されているため、複屈折による画質劣化を効果的に抑制することができる。
また、ゲート部を含む成形体をそのまま投写レンズ用のプラスチックレンズとして用いることができるため、製造コストの低廉化を図ることもできる。
このため、実施形態１に係る投写レンズ９００によれば、複屈折率による画質劣化を抑制するとともに製造コストの低廉化を図ることができる。
【００４１】
次に、本発明の実施形態２について、図６を用いて説明する。
［実施形態２］
図６は、本発明の実施形態２に係る投写レンズの投写面側レンズを示す正面図である。実施形態２においては、同実施形態で使用される光学部品の構成及び機能が実施形態１と同様（投写レンズの光学的使用領域の形成位置は異なる）であるため、実施形態１の説明に用いた光学部品の符号を用いて説明する。
【００４２】
本実施形態に示す投写レンズ９００は、回転基準位置における投写面側プラスチックレンズの光学的使用領域が実施形態１に示す光学的使用領域より下方（光源側プラスチックレンズの光学的使用領域にあっては上方）にずらした位置に配置されている点に特徴がある。
【００４３】
このため、レンズ９００Ａには、図６に示されるように、液晶表示装置４００Ｒ，４００Ｇ，４００Ｂ（図２参照。）の各表示領域と略相似関係にある平面形状を有する光学的使用領域９００Ａ１が形成されている。
【００４４】
この光学的使用領域９００Ａ１は、レンズ回転基準位置において、下方の横辺がレンズ９００Ａにおける縦横のレンズ仮想中心線ａ，ｂのうち横のレンズ仮想中心線ｂと平行な仮想線分ｄ（但し、光学的使用領域９００Ａにおける上方の横辺とレンズ仮想中心線ｂとの間の寸法ｓ：レンズ仮想中心線ｂと仮想線分ｄとの間の寸法ｔ＝９：１である。）に合致し、縦のレンズ仮想中心線ａに関して対称な平面形状となる部位に配置されている。
レンズ９００Ａのレンズ周縁一部にはいわゆるＤカット面加工処理が施されており、この加工処理部には縦のレンズ仮想中心線上ａに位置するゲート部９００ａが形成されている。ゲート部９００ａは、光学的使用領域９００Ａ１の下側（レンズ光軸ＯＣにおける光学的使用領域９００Ａ１の反対側）に配置されている。
このため、ゲート部９００ａは光学的使用領域９００Ａ１の外側に配置されているため、複屈折による画質劣化が効果的に抑制される。
【００４５】
投写レンズ９００においては、レンズ９００Ａが液晶表示装置から離間するようなフォーカス調整によって回転基準位置から時計方向に回転すると、光学的使用領域９００Ａ１もそれに従って（ゲート部９００ａに対して）相対的に回転する。また、レンズ９００Ａが液晶表示装置に接近するようなフォーカス調整によって回転基準位置から反時計方向に回転すると、光学的使用領域９００Ａ１もそれに従って（ゲート部９００ａに対して）相対的に回転する。
【００４６】
ここで、レンズ９００Ａの回転範囲を回転基準位置から時計方向及び反時計方向にともにに３０°とすると、フォーカス調整による光学的使用領域９００Ａ１下端の最大移動量Ｍ１は、少なくとも実施形態１で計算されたＭ（＝Ｎ×ｓｉｎ３０°）より小さくなる。
そこで、本実施形態においては、レンズ仮想中心線ｂを反時計方向に回転させて得られるレンズ仮想中心線ｂ１と光学的使用領域９００Ａ１における左方の縦辺の延長線との交点をｍとするとき、この交点ｍを通りレンズ仮想線ｂに平行な線ｃをｔだけ下方に移動させた線ｃ１を保証ラインｃ１として用いている。
この保証ラインｃ１は常に光学的使用領域９００Ａ１の最下端より下方に存在することになる。このため、ゲート部９００ａをこの保証ラインｃ１の下側に配置することにより、フォーカス調整によってレンズ９００Ａが回転しても、ゲート部９００ａは常に光学的使用領域Ａ１の外側に配置されることになり、複屈折による画質劣化が効果的に抑制される。
【００４７】
なお、光学的使用領域９００Ａ１の大きさは液晶表示装置の表示領域の大きさと略等しいので、液晶表示装置として表示領域が対角０．５インチ（１２．７ｍｍ）のものを用いるとすれば、ＮがＮ＝１２．７ｍｍ×（４／５）／２≒５．０８ｍｍとなるため、この保証ラインｃ１からレンズ仮想中心線ｂの距離Ｌ１は２．９３ｍｍ＋０．７６ｍｍ＝３．７０ｍｍとなる。
【００４８】
ゲート部９００ａ近傍の複屈折の影響をより確実に抑制するために、この保証ラインをさらに下げることもできる。この場合、例えば、安全率５０％とすれば、レンズ仮想中心線ｂとの間の距離Ｌ１は、Ｌ１＝３．７０ｍｍ×１．５≒５．６０ｍｍとなる。
【００４９】
したがって、本実施形態においても、実施形態１の場合と同様に、投写レンズ９００におけるゲート部９００ａは、画像光が通過する領域（光学的使用領域）外に配置されているため、複屈折による画像劣化を効果的に抑制することができる。
また、ゲート部を含む成形体をそのまま投写レンズ用のプラスチックレンズとして用いることができるため、製造コストの低廉化を図ることもできる。
よって、実施形態２に係る投写レンズ９００によれば、複屈折率による画質劣化を抑制するとともに製造コストの低廉化を図ることができる。
【００５０】
なお、本発明における投写レンズを構成するレンズの個数及びプラスチックレンズの個数等は、上記した各実施形態に特に限定されるものでないことは勿論である。
【図面の簡単な説明】
【図１】実施形態１に係るプロジェクタの説明図。
【図２】実施形態１に係るプロジェクタの光学系を示す平面図。
【図３】実施形態１に係る投写レンズを含む投写光学系を示す説明図。
【図４】実施形態１に係る投写レンズの投写面側レンズを示す正面図。
【図５】実施形態１に係る投写レンズを画像光が通過する場合について示す光路図。
【図６】実施形態２に係る投写レンズの投写面側レンズを示す正面図。
【符号の説明】
１  プロジェクタ、４００Ｒ，４００Ｇ，４００Ｂ  液晶表示装置、５００  クロスダイクロイックプリズム、６００  投写光学系、７００  鏡筒、８００  レンズ枠、８００Ａ  前方枠、８００Ｂ  後方枠、８００Ｃ  中間枠、９００  投写レンズ、９００Ａ〜９００Ｅ  レンズ、９００Ａ１  光学的使用領域、９００ａ  ゲート部、ａ，ｂ  レンズ仮想中心線、ｃ  保証ライン、ｍ  交点、ＯＣレンズ光軸、ＳＣ  スクリーン
【図１】
2004361620.tif 000003
【図２】
2004361620.tif 000004
【図３】
2004361620.tif 000005
【図４】
2004361620.tif 000006
【図５】
2004361620.tif 000007
【図６】
2004361620.tif 000008